(57)【要約】      （修正有）【課題】打球時の飛距離を向上させ、かつ、ユーザに応じて錘を変更可能にするゴルフクラブヘッドを提供する。【解決手段】ゴルフクラブヘッドＳは、ソール部１１、フェース部１４、及びクラウン部１５を有する中空のボディ部１と、フェース部１４のインパクトエリア１４１の後方に位置し、かつソール部１１に着脱可能に設けられた、重さ及び形状のうちの少なくとも一つがそれぞれ異なる複数の錘２から選択された錘と、を有する。また、錘２は、フェース部１４の重心位置からゴルフボールの半径の長さ以内のインパクトエリア１４１の面に直交する線上に設けられている。【選択図】図４
2019093107.tif 000002
【特許請求の範囲】
【請求項１】
ソール部、フェース部、及びクラウン部を有する中空のボディ部と、
前記フェース部のインパクトエリアの後方に位置し、かつ前記ソール部に着脱可能に設けられた、重さ及び形状のうちの少なくとも一つがそれぞれ異なる複数の錘から選択された錘と、
を有することを特徴とするゴルフクラブヘッド。
【請求項２】
前記錘は、前記フェース部の重心位置からゴルフボールの半径の長さ以内の前記インパクトエリアの面に直交する線上に設けられていることを特徴とする、
請求項１に記載のゴルフクラブヘッド。
【請求項３】
前記錘は、前記ソール部の前後方向における中心の位置よりも後方の位置に設けられていることを特徴とする、
請求項１又は２に記載のゴルフクラブヘッド。
【請求項４】
前記ソール部には穴又は凹部が形成されており、
前記錘は、前記穴又は前記凹部に設けられていることを特徴とする、
請求項１から３のいずれか一項に記載のゴルフクラブヘッド。
【請求項５】
前記錘は、前記錘の重心が、前記フェース部の重心位置からゴルフボールの半径の長さ以内の前記インパクトエリアの面に直交する方向と、前記穴又は前記凹部に前記錘を挿入する方向との交点に位置するように設けられていることを特徴とする、
請求項４に記載のゴルフクラブヘッド。
【請求項６】
前記穴又は前記凹部は、重さ及び形状のうちの少なくとも一つがそれぞれ異なる複数の前記錘から選択された一つの前記錘を固定可能である、
請求項４又は５に記載のゴルフクラブヘッド。
【請求項７】
前記錘は、
前記ソール部に形成されている穴に固定可能な錘固定部と、
前記錘固定部に固定可能な錘本体と、
を有することを特徴とする、
請求項１から６のいずれか一項に記載のゴルフクラブヘッド。
【請求項８】
前記錘固定部は、重さ及び形状のうちの少なくとも一つがそれぞれ異なる複数の前記錘本体から選択された一つの前記錘本体を固定可能である、
請求項７に記載のゴルフクラブヘッド。
【請求項９】
前記錘本体は、
前記錘本体の上部に位置する頭部と、
前記頭部の下端に設けられており、かつ前記錘固定部に固定可能な錘本体固定部と、
を有することを特徴とする、
請求項７又は８に記載のゴルフクラブヘッド。
【請求項１０】
前記ボディ部は、チタン、チタン合金、アルミニウム、アルミニウム合金、マグネシウム、マグネシウム合金、複合材料、及びカーボンのうちの少なくとも一つからなり、
前記錘は、前記ボディ部よりも比重が大きい金属により形成されていることを特徴とする、
請求項１から９のいずれか一項に記載のゴルフクラブヘッド。
【請求項１１】
請求項１から１０のいずれか一項に記載のゴルフクラブヘッドに装着可能な複数の錘から構成される錘セットであって、
前記複数の錘それぞれは、
前記ソール部に形成されている穴に固定可能な一以上の錘固定部と、
前記錘固定部に固定可能な、それぞれ重さ及び形状のうちの少なくとも一つが異なる錘本体と、
を有する錘セット。
【請求項１２】
ソール部、フェース部、及びクラウン部を有する中空のボディ部を準備するボディ部準備ステップと、
前記フェース部のインパクトエリアの後方に位置し、かつ前記ソール部に着脱可能に設けられた、重さ及び形状のうちの少なくとも一つがそれぞれ異なる複数の錘から選択された錘を準備する錘準備ステップと、
前記ソール部に前記錘を固定する固定ステップと、
を有することを特徴とするゴルフクラブヘッドの製造方法。
【請求項１３】
前記錘準備ステップは、重さ及び形状のうちの少なくとも一つがそれぞれ異なる複数の錘本体から選択された一つの錘本体を前記ソール部に固定するための錘固定部に固定する錘本体固定ステップを有し、
前記固定ステップは、前記錘本体が固定された前記錘固定部を前記ソール部に形成されている穴に固定する錘固定部固定ステップを有することを特徴とする、
請求項１２に記載のゴルフクラブヘッドの製造方法。
【発明の詳細な説明】
【技術分野】
【０００１】
本発明は、ゴルフクラブヘッド及びゴルフクラブヘッドの製造方法に関する。
【背景技術】
【０００２】
近年、様々なゴルフクラブヘッドが製造されている。特許文献１には、ゴルフクラブのヘッド部に錘を設けることで、ゴルフボールの飛距離を向上させることができるゴルフクラブヘッドが開示されている。
【先行技術文献】
【特許文献】
【０００３】
【特許文献１】特開２００２−１２６１４０号公報
【発明の概要】
【発明が解決しようとする課題】
【０００４】
ゴルフクラブヘッドに錘を固定して設ける場合、錘の仕様を変更することができないため、ユーザに応じて、ゴルフクラブヘッドの重さや重心の位置を変更することができないという問題が生じていた。
【０００５】
そこで、本発明はこれらの点に鑑みてなされたものであり、打球時の飛距離を向上させ、かつ、ユーザに応じて錘を変更可能なゴルフクラブヘッドを提供することを目的とする。
【課題を解決するための手段】
【０００６】
本発明の第１の態様においては、ソール部、フェース部、及びクラウン部を有する中空のボディ部と、前記フェース部のインパクトエリアの後方に位置し、かつ前記ソール部に着脱可能に設けられた、重さ及び形状のうちの少なくとも一つがそれぞれ異なる複数の錘から選択された錘と、を有することを特徴とするゴルフクラブヘッドを提供する。
【０００７】
また、前記錘は、前記フェース部の重心位置からゴルフボールの半径の長さ以内の前記インパクトエリアの面に直交する線上に設けられていてもよい。また、前記錘は、前記ソール部の前後方向における中心の位置よりも後方の位置に設けられていてもよい。
【０００８】
また、前記ソール部には穴又は凹部が形成されており、前記錘は、前記穴又は前記凹部に設けられていてもよい。また、前記錘は、前記錘の重心が、前記フェース部の重心位置からゴルフボールの半径の長さ以内の前記インパクトエリアの面に直交する方向と、前記穴又は前記凹部に前記錘を挿入する方向との交点に位置するように設けられていてもよい。
【０００９】
また、前記穴又は前記凹部は、重さ及び形状のうちの少なくとも一つがそれぞれ異なる複数の前記錘から選択された一つの前記錘を固定可能であってもよい。また、前記錘は、前記ソール部に形成されている穴に固定可能な錘固定部と、前記錘固定部に固定可能な錘本体と、を有していてもよい。
【００１０】
また、前記錘固定部は、重さ及び形状のうちの少なくとも一つがそれぞれ異なる複数の前記錘本体から選択された一つの前記錘本体を固定可能であってもよい。また、前記錘本体は、前記錘本体の上部に位置する頭部と、前記頭部の下端に設けられており、かつ前記錘固定部に固定可能な錘本体固定部と、を有していてもよい。
【００１１】
また、前記ボディ部は、チタン、チタン合金、アルミニウム、アルミニウム合金、マグネシウム、マグネシウム合金、複合材料、及びカーボンのうちの少なくとも一つからなり、前記錘は、前記ボディ部よりも比重が大きい金属により形成されていてもよい。
【００１２】
本発明の第２の態様においては、ゴルフクラブヘッドに装着可能な複数の錘から構成される錘セットであって、前記複数の錘それぞれは、前記ソール部に形成されている穴に固定可能な一以上の錘固定部と、前記錘固定部に固定可能な、それぞれ重さ及び形状のうちの少なくとも一つが異なる錘本体と、を有する錘セットであってもよい。
【００１３】
本発明の第３の態様においては、ソール部、フェース部、及びクラウン部を有する中空のボディ部を準備するボディ部準備ステップと、前記フェース部のインパクトエリアの後方に位置し、かつ前記ソール部に着脱可能に設けられた、重さ及び形状のうちの少なくとも一つがそれぞれ異なる複数の錘から選択された錘を準備する錘準備ステップと、前記ソール部に前記錘を固定する固定ステップと、を有することを特徴とするゴルフクラブヘッドの製造方法を提供する。
【００１４】
また、前記錘準備ステップは、重さ及び形状のうちの少なくとも一つがそれぞれ異なる複数の錘本体から選択された一つの錘本体を前記ソール部に固定するための錘固定部に固定する錘本体固定ステップを有し、前記固定ステップは、前記錘本体が固定された前記錘固定部を前記ソール部に形成されている穴に固定する錘固定部固定ステップを有するようにしてもよい。
【発明の効果】
【００１５】
本発明によれば、ゴルフクラブヘッドにおいて、打球時の飛距離を向上させ、かつ、ユーザに応じて錘を変更できるという効果を奏する。
【図面の簡単な説明】
【００１６】
【図１】本実施形態に係るゴルフクラブヘッドの構成を示す。
【図２】図１で示すゴルフクラブヘッドを下方から見た構成を示す。
【図３】図１で示すゴルフクラブヘッドの断面図である。
【図４】図１で示すゴルフクラブヘッドでゴルフボールを打球している状態の断面図である。
【図５】錘の構成を示す。
【図６】錘固定部の構成を示す。
【図７】錘セットが有する複数の錘本体の構成を示す。
【図８】ゴルフクラブヘッドの製造方法を示す。
【図９】錘本体の変形例を示す。
【発明を実施するための形態】
【００１７】
＜本実施形態＞
［ゴルフクラブヘッドＳの概要］
図１は、本実施形態に係るゴルフクラブヘッドＳの構成を示す図である。図２は、図１で示すゴルフクラブヘッドＳを下方から見た構成を示す図である。図３は、図１で示すゴルフクラブヘッドＳの断面図である。図４は、図１で示すゴルフクラブヘッドＳでゴルフボールＵを打球している状態の断面図である。
【００１８】
ゴルフクラブヘッドＳは、ゴルフクラブの下端に設けられており、ゴルフクラブにおけるゴルフボールＵを当てる部分である。ゴルフクラブヘッドＳは、中空のボディ部１と錘２とを有する。ボディ部１は、ゴルフボールＵを当てる部分である。ボディ部１は、チタン、チタン合金、アルミニウム、アルミニウム合金、マグネシウム、マグネシウム合金、複合材料、及びカーボンのうちの少なくとも一つからなる。
【００１９】
ボディ部１は、ソール部１１、接続部１２、ネック部１３、フェース部１４、及びクラウン部１５を有する。ソール部１１は、下方が凸形状になった湾曲面を有し、ボディ部１における底面を形成する。ソール部１１には、凹部１１１、穴１１２、及び固定部１１３が形成されている。凹部１１１は、ソール部１１の面に形成されており、例えば円形状の底面を有する。穴１１２は、凹部１１１の底面に形成されており、重さ及び形状のうちの少なくとも一つがそれぞれ異なる複数の錘から選択された一つの錘２が固定可能である。穴１１２は、例えば円形状である。
【００２０】
固定部１１３には、錘２が固定される。固定部１１３の形状は、穴１１２の内径と同じ内径の円筒形状である。固定部１１３は、ソール部１１から上方、すなわちボディ部１の内側に向かって延伸している。穴１１２及び固定部１１３の内側面には、例えば、ねじ溝が形成されており、穴１１２及び固定部１１３は、雌ねじ部としての機能を有する。固定部１１３は、ソール部１１と一体に、ソール部１１の他の領域よりも厚く形成されている。
【００２１】
接続部１２は、ソール部１１のトウ側の上端とヒール側の上端とを接続する、ソール部１１の前端付近の上方に位置する部分である。接続部１２は、ソール部１１と一体的に形成されている。ネック部１３は、図示しないゴルフクラブのシャフトが取り付けられる部分である。ネック部１３は、円筒形状である。ネック部１３は、接続部１２におけるヒール側の端部付近から略上方に向かって延伸している。
【００２２】
フェース部１４は、滑らかな湾曲面を有し、ボディ部１における前面を形成する。フェース部１４は、ソール部１１の前端の縁と接続部１２の前端の縁とで形成されている穴を塞ぐようにして、当該穴の縁に固定されている。フェース部１４は、例えばソール部１１よりも硬い材質で形成されている。フェース部１４は、インパクトエリア１４１を有する。インパクトエリア１４１は、フェース部１４におけるゴルフボールＵとの衝突が意図された領域である。
【００２３】
クラウン部１５は、滑らかな湾曲面を有し、ボディ部１における上面を形成する。クラウン部１５は、ソール部１１の上端の縁と接続部１２の後端の縁とで形成されている穴を塞ぐようにして、当該穴の縁に固定されている。
【００２４】
［錘２の詳細］
錘２は、ゴルフクラブヘッドＳの重さ、及び重心の位置を変更する機能を有する。錘２は、フェース部１４のインパクトエリア１４１の後方に位置し、かつソール部１１に着脱可能に設けられた、重さ及び形状のうちの少なくとも一つがそれぞれ異なる複数の錘から選択された錘２である。錘２は、例えば、ボディ部１よりも比重が大きい金属により形成されている。錘２をボディ部１よりも比重が大きい金属により形成することで、錘２を小さくすることができる。ボディ部１の形成材料がチタン、チタン合金、アルミニウム、アルミニウム合金、マグネシウム、マグネシウム合金、複合材料、及びカーボンのうちの少なくとも一つである場合、錘２の形成材料は、例えば鉄、ステンレス又は銅である。
【００２５】
図４に示すように、錘２は、フェース部１４の重心位置からゴルフボールＵの半径の長さ以内のインパクトエリア１４１の面に直交する線上に設けられている。具体的には、錘２がソール部１１の穴１１２及び固定部１１３に固定された状態では、錘２の重心が、フェース部１４の重心位置からゴルフボールＵの半径の長さ以内のインパクトエリア１４１の面に直交する方向と、穴１１２に錘２を挿入する方向との交点に位置する。
【００２６】
より具体的には、錘２がソール部１１の穴１１２及び固定部１１３に固定された状態では、錘２の重心が、フェース部１４の重心位置からインパクトエリア１４１の面に直交する方向と、穴１１２に錘２を挿入する方向との交点に位置する。後述する錘２の頭部２２１の中心点が、フェース部１４の重心位置からインパクトエリア１４１の面に直交する方向と、穴１１２に錘２を挿入する方向との交点に位置してもよい。
【００２７】
また、錘２は、ソール部１１の幅方向、すなわちソール部１１の前後方向と直交する方向（すなわち、ソール部１１のヒール側とトウ側を結ぶ方向）における、中心位置に設けられていてもよい。錘２がソール部１１における上記の位置に設けられていることで、ゴルフクラブヘッドＳは、重心深度を深くできるとともに、ゴルフボールＵを打つ際に、錘２により生じる力をゴルフボールＵに作用させ易くすることができるので、ゴルフボールＵの飛距離を向上させることができる。
【００２８】
また、錘２は、ソール部１１の前後方向における中心の位置よりも後方の位置に設けられている。錘２がソール部１１の前後方向における中心の位置よりも後方の位置に設けられていることで、重心深度を深くとることができるので、例えばゴルフクラブヘッドＳの慣性モーメントが大きくなる。したがって、ゴルフクラブヘッドＳがゴルフボールＵに当たった瞬間にゴルフクラブヘッドＳの向きがぶれにくくなるので、ゴルフボールＵの飛距離を向上させることができる。
【００２９】
図５は、錘２の構成を示す図である。図５（ａ）は、錘本体２２が錘固定部２１に固定されている状態を示す図である。図５（ｂ）は、錘本体２２と錘固定部２１とが分離されている状態を示す図である。図６は、錘固定部２１の構成を示す図である。図６（ａ）は、錘固定部２１の断面図である。図６（ｂ）は、錘固定部２１を下方から見た構成を示す図である。
【００３０】
錘２は、錘固定部２１と錘本体２２とを有する。錘固定部２１は、ソール部１１に形成されている穴１１２に固定可能である。また、錘固定部２１は、後述するように、重さ及び形状のうちの少なくとも一つがそれぞれ異なる複数の錘本体から選択された一つの錘本体２２を固定可能である。
【００３１】
錘固定部２１は、軸部２１１、凹部２１２、底部２１３、及び凹部２１４を有する。軸部２１１は、円柱形状を有する。軸部２１１の外側面には、ねじ溝が形成されており、軸部２１１は、雄ねじ部としての機能を有する。軸部２１１の雄ねじ部は、ソール部１１の穴１１２及び固定部１１３の雌ねじ部と螺合する。
【００３２】
軸部２１１の先端には、凹部２１２が形成されている。凹部２１２は、錘本体２２の錘本体固定部２２２が挿入される凹部である。凹部２１２の内側面には、例えば、ねじ溝が形成されており、凹部２１２は、雌ねじ部としての機能を有する。
【００３３】
底部２１３は、錘固定部２１の底面を形成する。底部２１３は、軸部２１１の下端に接続されている。底部２１３は、円板形状を有する。底部２１３の中心、軸部２１１の中心、及び凹部２１２の中心は、同軸上に位置する。底部２１３の外径は、軸部２１１の外径よりも大きい。また、底部２１３の外径は、ソール部１１の凹部１１１の内径よりも若干小さく、かつソール部１１の穴１１２の内径及び固定部１１３の内径よりも大きい。
【００３４】
底部２１３の外径がこのような形状を有することで、錘固定部２１は、ソール部１１の穴１１２及び固定部１１３に挿入されたときに、底部２１３が凹部１１１の底面における穴１１２の縁付近の領域に接する。よって、錘固定部２１がソール部１１の穴１１２及び固定部１１３の内側を通過してボディ部１の内側に入ってしまうことを防ぐことができる。
【００３５】
凹部２１４は、錘固定部２１の下端に形成されている凹部である。具体的には、凹部２１４は、錘固定部２１の底部２１３の軸部２１１が設けられている側とは反対側の面に形成されている。凹部２１４は、工具、例えばドライバー等の先端の形状と篏合する形状を有する。錘固定部２１の軸部２１１をソール部１１の穴１１２及び固定部１１３の内側に挿入して、錘固定部２１の凹部２１４に当該工具の先端を挿入して当該工具を回転させて締め付けることで、軸部２１１の雄ねじ部が穴１１２及び固定部１１３の雌ねじ部に螺合して、錘固定部２１は、ソール部１１の穴１１２及び固定部１１３に固定される。
【００３６】
錘本体２２は、錘固定部２１に固定可能である。錘本体２２は、頭部２２１、錘本体固定部２２２、及び凹部２２３を有する。頭部２２１は、錘本体２２の上部に位置する。頭部２２１は、例えば球形状である。頭部２２１の直径は、例えばソール部１１の穴１１２の内径及び固定部１１３の内径よりも小さい。錘本体２２の頭部２２１の直径がこのような大きさを有するので、錘本体２２の頭部２２１を、ソール部１１の穴１１２及び固定部１１３の内側を通過させて、ボディ部１の内側に位置させることができる。
【００３７】
錘本体固定部２２２は、錘固定部２１に固定可能である。錘本体固定部２２２は、頭部２２１の下端に設けられている。錘本体固定部２２２は、例えば円柱形状である。錘本体固定部２２２は、錘固定部２１の凹部２１２に挿入される。錘本体固定部２２２の外側面には、例えば、ねじ溝が形成されており、錘本体固定部２２２は、雄ねじ部としての機能を有する。錘本体固定部２２２の雄ねじ部は、錘固定部２１の凹部２１２の雌ねじ部と螺合する。
【００３８】
凹部２２３は、錘本体２２の上端に形成されている凹部である。錘本体２２の頭部２２１の上端には、平坦な面が形成されており、凹部２２３は、当該平坦な面に形成されている。凹部２２３は、工具、例えばドライバー等の先端の形状と篏合する形状を有する。凹部２２３は、例えば錘固定部２１の凹部２１４と同じ形状を有する。
【００３９】
錘本体２２の錘本体固定部２２２を錘固定部２１の凹部２１２に挿入して、錘本体２２の凹部２２３に当該工具の先端を挿入して当該工具を回転させて締め付けることで、錘本体固定部２２２の雄ねじ部が錘固定部２１の凹部２１２の雌ねじ部に螺合して、錘本体２２は、錘固定部２１に固定される。
【００４０】
錘２がソール部１１の穴１１２及び固定部１１３に固定された状態では、錘固定部２１の底部２１３は、ソール部１１の凹部１１１の内側に位置するため、錘固定部２１の底部２１３が、ソール部１１の外側面から外側に突出することを防ぐことができる。
【００４１】
［錘セットＴ］
錘セットＴは、ゴルフクラブヘッドＳに装着可能な複数の錘から構成される。図７は、錘セットＴが有する複数の錘本体２２、２２ａ、２２ｂの構成を示す図である。図７（ａ）は、錘本体２２の構成を示す図である。図７（ｂ）は、錘本体２２の変形例１である錘本体２２ａの構成を示す図である。図７（ｃ）は、錘本体２２の変形例２である錘本体２２ｂの構成を示す図である。図７（ｄ）は、図７（ａ）で示す錘本体２２を上方から見た状態の構成を示す図である。図７（ｅ）は、図７（ｂ）で示す錘本体２２ａを上方から見た状態の構成を示すである。図７（ｆ）は、図７（ｃ）で示す錘本体２２ｂを上方から見た状態の構成を示す図である。
【００４２】
図７においては、錘セットＴが有する複数の錘本体の個数が３個である場合を例示しているが、錘セットＴが有する複数の錘本体の個数は任意である。複数の錘それぞれは、ソール部１１に形成されている穴１１２に固定可能な一以上の錘固定部２１と、錘固定部２１に固定可能な、それぞれ重さ及び形状のうちの少なくとも一つが異なる錘本体２２、２２ａ、２２ｂと、を有する。
【００４３】
錘本体２２ａは、頭部２２１ａと錘本体固定部２２２ａとを有する。頭部２２１ａは、球形状であり、頭部２２１と同じ形状である。錘本体固定部２２２ａは円柱形状を有し、錘本体固定部２２２と同じ外径を有するが、錘本体固定部２２２の長さよりも若干長い。よって、錘本体２２ａは、錘本体２２と比べて、錘本体２２よりも若干長いが、錘本体２２と比べて軽い材質で製造されているため、錘本体２２よりも軽い。
【００４４】
錘本体２２ｂは、頭部２２１ｂと錘本体固定部２２２ｂとを有する。頭部２２１ｂは、球形状であり、頭部２２１及び頭部２２１ａよりも外径が小さい。錘本体固定部２２２ｂは円柱形状を有し、錘本体固定部２２２と同じ外径を有するが、錘本体固定部２２２の長さよりも短い。よって、錘本体２２ｂは、錘本体２２及び錘本体２２ａと比べて、錘本体２２及び錘本体２２ａよりも短く、錘本体２２ａと同じ材質で製造されているため、錘本体２２ａよりも軽い。
【００４５】
錘セットＴは、このように重さ及び形状のうちの少なくとも一つが異なる複数の錘本体２２、２２ａ、及び２２ｂを有するので、ゴルフクラブヘッドＳの調整者は複数の錘本体２２、２２ａ、及び２２ｂから任意の錘本体を選択することができる。そして、調整者は、選択した錘本体を錘固定部２１に固定することで、ユーザの好みに合わせてゴルフクラブヘッドＳを調整することができる。
【００４６】
また、錘２が、穴１１２に固定可能な一以上の錘固定部２１と、錘固定部２１に固定可能な、それぞれ重さ及び形状のうちの少なくとも一つが異なる錘本体２２、２２ａ、２２ｂとを有するようにすることで、例えば錘本体を錘固定部２１から取外して用いたり、錘固定部２１と錘本体とを別々の材料で形成したりすることが可能となり、錘２の重さ及び形状の種類を増やすことができる。
【００４７】
また、錘２が、それぞれ重さ及び形状のうちの少なくとも一つが異なる錘固定部２１と、錘固定部２１に固定可能な、それぞれ重さ及び形状のうちの少なくとも一つが異なる錘本体２２、２２ａ、２２ｂとを有するようにしてもよい。錘２が、このような構成を有することで、錘２の重さ及び形状の種類をさらに増やすことができる。
【００４８】
［ゴルフクラブヘッドＳの製造方法］
次に、ゴルフクラブヘッドＳの製造方法を説明する。
図８は、ゴルフクラブヘッドＳの製造方法を示す図である。図８（ａ）は、錘固定部２１と錘本体２２とが分離された状態を示す図である。図８（ｂ）は、錘固定部２１と錘本体２２とが固定された状態を示す図である。図８（ｃ）は、錘２とゴルフクラブヘッドＳとが分離された状態を示す図である。図８（ｄ）は、錘２とゴルフクラブヘッドＳとが固定された状態を示す図である。
【００４９】
まず、調整者は、ボディ部１と錘を準備する。錘を準備する際には、具体的には、調整者は、錘セットＴから任意の錘本体を選択する。調整者は、例えば、錘セットＴから錘本体２２を選択する（図８（ａ））。そして、調整者は、錘固定部２１に錘本体２２を固定する（図８（ｂ））。より具体的には、調整者は、錘本体２２の錘本体固定部２２２を錘固定部２１の凹部２１２に挿入して、錘本体２２の凹部２２３に工具の先端を挿入して当該工具を回転させて締め付けることで、錘本体固定部２２２の雄ねじ部が錘固定部２１の凹部２１２の雌ねじ部に螺合して、錘本体２２は、錘固定部２１に固定される。このようにして、錘が準備される。
【００５０】
次に、調整者は、準備されたボディ部１のソール部１１に、錘２を固定する。具体的には、調整者は、準備されたボディ部１のソール部１１に形成されている穴１１２に錘２を挿入して（図８（ｃ））、錘２を穴１１２に固定する（図８（ｄ））。
【００５１】
より具体的には、錘本体２２が固定された錘固定部２１の軸部２１１をソール部１１の穴１１２及び固定部１１３の内側に挿入して、錘固定部２１の凹部２１４に工具の先端を挿入して当該工具を回転させて締め付けることで、軸部２１１の雄ねじ部が穴１１２及び固定部１１３の雌ねじ部に螺合して、錘本体２２が固定された錘固定部２１は、ソール部１１の穴１１２及び固定部１１３に固定される。このようにして、調整者は、重さや重心を調整したゴルフクラブヘッドＳを製造することができる。
【００５２】
調整者は、例えばゴルフクラブヘッドＳのクラウン部１５を取り外したりしてゴルフクラブヘッドＳを分解したりせずに、錘２をゴルフクラブヘッドＳの外側から着脱することができる。また、任意の重さ及び形状を有する錘本体を選択して、錘固定部２１に固定することで、任意の重さ及び形状を有する錘２を製造することができる。この結果、調整者は、簡単にゴルフクラブヘッドＳの重さ及び重心の位置を変更することができる。
【００５３】
［変形例］
図９は、錘本体２２の変形例を示す図である。図９（ａ）は、錘本体２２の構成を示す図である。図９（ｂ）は、錘本体２２の変形例３である錘本体２２ｃの構成を示す図である。図９（ｃ）は、錘本体２２の変形例４である錘本体２２ｄの構成を示す図である。図９（ｄ）は、錘本体２２の変形例５である錘本体２２ｅの構成を示す図である。
【００５４】
錘本体２２ｃは、頭部２２１ｃと錘本体固定部２２２ｃとを有する。頭部２２１ｃは、例えば長方形状の面を有し、当該長方形状の面は錘本体固定部２２２ｃの軸方向と直交する。錘本体固定部２２２ｃは、錘本体固定部２２２と同じ外径である円柱形状であり、錘本体固定部２２２と略同じ長さである。錘本体２２ｃは、錘本体２２と比べて、長さが短い。
【００５５】
錘本体２２ｄは、頭部２２１ｄと錘本体固定部２２２ｄとを有する。頭部２２１ｄは、例えば円錐形状である。錘本体固定部２２２ｄは、錘本体固定部２２２と同じ外径である円柱形状であり、錘本体固定部２２２と略同じ長さである。円錐形状の頭部２２１ｄの軸が円柱形状の錘本体固定部２２２ｄの中心軸の延長線上に位置する。錘本体２２ｄは、錘本体２２と比べて、長さが短い。
【００５６】
錘本体２２ｅは、頭部２２１ｅと錘本体固定部２２２ｅとを有する。頭部２２１ｅは、例えば直方体形状である。錘本体固定部２２２ｅは、錘本体固定部２２２と同じ外径である円柱形状であり、錘本体固定部２２２と略同じ長さである。直方体形状の頭部２２１ｅの長手方向における長さは、円柱形状の錘本体固定部２２２ｅの径方向における直径よりも長い。錘本体固定部２２２ｅの上端は、頭部２２１ｅの長手方向における一端に接続されている。
【００５７】
具体的には、直方体形状の頭部２２１ｅの長手方向における一方の端部が、錘本体固定部２２２ｅの上端に接続されている。頭部２２１ｅの長手方向における錘本体固定部２２２ｅの上端と接続されている側の端部は、錘本体固定部２２２ｅの径方向において錘本体固定部２２２ｅの円形状の断面の縁と略同じ位置に位置している。一方、頭部２２１ｅの長手方向における錘本体固定部２２２ｅの上端と接続されている側とは反対側の端部は、錘本体固定部２２２ｅの径方向において錘本体固定部２２２ｅの円形状の断面の縁よりも外側に突出する位置に位置している。頭部２２１ｅの長手方向と錘本体固定部２２２ｅの軸方向とは直交している。錘本体２２ｅは、錘本体２２と比べて、長さが短い。
【００５８】
錘セットＴが、このように異なる形状の頭部が形成されている複数の錘本体２２ｃ、２２ｄ、及び２２ｅを有することで、調整者は、さらに様々な重さ及び形状を有する錘本体を選択することができる。この結果、調整者は、ゴルフクラブヘッドＳの重さ及び重心の位置をさらに微調整することが可能になる。
【００５９】
上記実施形態では、ソール部１１には、穴１１２が形成されており、穴１１２に錘２が螺合するねじ溝が形成されているとしたが、ソール部１１には、例えば凹部が形成されており、当該凹部の内側面に錘２が螺合するねじ溝が形成されているようにしてもよい。
【００６０】
上記実施形態では、錘２は、錘固定部２１と錘本体２２とが別体であり、錘固定部２１に錘本体２２が固定される構成であるとしたが、錘２は、錘固定部２１と錘本体２２とが一体に形成されていてもよい。この場合、調整者は、重さ及び形状のうちの少なくとも一つが異なる複数の錘のうちから、任意の錘を選択することができる。
【００６１】
［本実施形態に係るゴルフクラブヘッドＳによる効果］
本実施形態に係るゴルフクラブヘッドＳは、ソール部１１、フェース部１４、及びクラウン部１５を有する中空のボディ部１と、フェース部１４のインパクトエリア１４１の後方に位置し、かつソール部１１に着脱可能に設けられた、重さ及び形状のうちの少なくとも一つがそれぞれ異なる複数の錘から選択された錘２と、を有する。よって、本実施形態に係るゴルフクラブヘッドＳは、打球時の飛距離を向上させ、かつ、ユーザに応じて錘を変更することができる。この結果、ゴルフクラブヘッドＳは、ゴルフクラブヘッドＳの重さ、及び重心の位置を変更することができる。
【００６２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６３】
Ｓ・・・ゴルフクラブヘッド
Ｔ・・・錘セット
Ｕ・・・ゴルフボール
１・・・ボディ部
１１・・・ソール部
１１１・・・凹部
１１２・・・穴
１１３・・・固定部
１２・・・接続部
１３・・・ネック部
１４・・・フェース部
１４１・・・インパクトエリア
１５・・・クラウン部
２・・・錘
２１・・・錘固定部
２１１・・・軸部
２１２・・・凹部
２１３・・・底部
２１４・・・凹部
２２、２２ａ、２２ｂ、２２ｃ、２２ｄ、２２ｅ・・・錘本体
２２１、２２１ａ、２２１ｂ、２２１ｃ、２２１ｄ、２２１ｅ・・・頭部
２２２、２２２ａ、２２２ｂ、２２２ｃ、２２２ｄ、２２２ｅ・・・錘本体固定部
２２３・・・凹部
【図１】
2019093107.tif 000003
【図２】
2019093107.tif 000004
【図３】
2019093107.tif 000005
【図４】
2019093107.tif 000006
【図５】
2019093107.tif 000007
【図６】
2019093107.tif 000008
【図７】
2019093107.tif 000009
【図８】
2019093107.tif 000010
【図９】
2019093107.tif 000011